【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
被読取対象領域を異なる解像度で読み取る読取手段と、
前記異なる解像度のうちの相対的に低い解像度で前記被読取対象領域を読み取って得られた低解像度画像に含まれる画像領域を指定する指定手段と、
前記指定手段によって指定された画像領域の画像を示す画像情報の出力先の出力解像度が画質を低下させる予め定められた解像度である場合、前記指定手段によって指定された画像領域が前記低解像度画像の解像度よりも高い解像度で読み取られるように前記読取手段を制御する制御手段と、
を含む画像読取装置。
【請求項２】
前記出力解像度が前記予め定められた解像度である場合を、前記出力解像度が前記指定手段によって指定された画像領域の解像度よりも高い場合とした請求項１に記載の画像読取装置。
【請求項３】
前記指定手段によって指定された画像領域を拡大する拡大手段を更に含み、
前記画像情報を、前記拡大手段によって拡大された画像領域の画像を示す画像情報とした請求項１又は請求項２に記載の画像読取装置。
【請求項４】
前記出力先を画像形成装置とし、
前記出力解像度を、前記画像形成装置における基準解像度及び前記画像形成装置によって形成される画像の大きさに基づいて導出された出力解像度とした請求項１〜請求項３の何れか１項に記載の画像読取装置。
【請求項５】
前記制御手段は、前記出力解像度が前記予め定められた解像度であり、且つ、前記低解像度画像の解像度よりも高い解像度であって前記出力解像度に適応する解像度が前記異なる解像度に存在する場合、前記指定手段によって指定された前記画像領域が、前記適応する解像度で読み取られるように前記読取手段を制御する請求項１〜請求項４の何れか１項に記載の画像読取装置。
【請求項６】
前記読取手段は、前記被読取対象領域を各々異なる解像度で読み取る複数の読取部を含み、
前記複数の読取部の各々は、前記被読取対象領域を特定方向に沿って読み取り、
前記複数の読取部のうちの相対的に高解像度の読取部の前記特定方向の読取範囲を、相対的に低解像度の読取部の前記特定方向の読取範囲よりも狭くした請求項１〜請求項５の何れか１項に記載の画像読取装置。
【請求項７】
前記複数の読取部の各々を別体とし、
前記複数の読取部のうちの最低解像度の読取部以外の読取部を前記特定方向に沿って自在に移動させる移動手段を更に含み、
前記制御手段は、前記出力解像度が前記予め定められた解像度である場合、前記指定手段によって指定された前記画像領域が前記複数の読取部のうちの前記低解像度画像の解像度よりも高い解像度で読み取る前記読取部の前記特定方向の読取範囲に含まれるように前記移動手段を制御すると共に、前記指定手段によって指定された前記画像領域が前記移動手段によって移動された前記読取部によって読み取られるように制御する請求項６に記載の画像読取装置。
【請求項８】
前記制御手段は、前記出力解像度が前記予め定められた解像度であり、且つ、前記指定手段によって指定された前記画像領域の大きさが前記複数の読取部のうちの前記低解像度画像の解像度よりも高い解像度で読み取る読取部の１回の前記特定方向に沿った読取動作による読取範囲に含まれない場合、前記指定手段によって指定された前記画像領域が前記複数の読取部のうちの前記低解像度画像の解像度よりも高い解像度で読み取る読取部による複数回の読取動作を通して読取範囲に含まれるように前記移動手段を制御すると共に、前記指定手段によって指定された前記画像領域が前記移動手段によって移動される前記読取部の複数回の読取動作によって読み取られるように制御する請求項７に記載の画像読取装置。
【請求項９】
前記制御手段は、前記指定手段によって指定された前記画像領域が複数回の前記読取動作によって読み取られる場合、前記指定手段によって指定された前記画像領域の一部が隣接する回を跨ぐ前記読取動作によって重複して読み取られるように前記移動手段を制御すると共に、隣接する回を跨ぐ前記読取動作によって読み取られて得られた一方の高解像度画像における他方の高解像度画像との重複部分を消去するように制御し、前記重複部分が消去された前記一方の高解像度画像及び前記他方の高解像度画像が前記出力先に出力されるように制御する請求項８に記載の画像読取装置。
【請求項１０】
被読取対象領域を異なる解像度で読み取る読取手段と、前記異なる解像度のうちの相対的に低い解像度で前記被読取対象領域を読み取って得られた低解像度画像に含まれる画像領域を指定する指定手段と、前記指定手段によって指定された画像領域の画像を示す画像情報の出力先の出力解像度が画質を低下させる予め定められた解像度である場合、前記指定手段によって指定された画像領域が前記低解像度画像の解像度よりも高い解像度で読み取られるように前記読取手段を制御する制御手段と、を有する画像読取装置と、
前記出力先に相当し、前記画像読取装置から出力された高解像度画像を記録媒体に形成する画像形成装置と、
を含む画像処理システム。
【請求項１１】
被読取対象領域を異なる解像度で読み取る読取手段と、前記異なる解像度のうちの相対的に低い解像度で前記被読取対象領域を読み取って得られた低解像度画像に含まれる画像領域を指定する指定手段と、を含む画像読取装置を制御するコンピュータを、
前記指定手段によって指定された画像領域の画像を示す画像情報の出力先の出力解像度が画質を低下させる予め定められた解像度である場合、前記指定手段によって指定された画像領域が前記低解像度画像の解像度よりも高い解像度で読み取られるように前記読取手段を制御する制御手段として機能させるためのプログラム。
【手続補正２】
【補正対象書類名】明細書
【補正対象項目名】００１３
【補正方法】変更
【補正の内容】
【００１３】
請求項８に記載の画像読取装置を、請求項９に記載の発明のように、前記制御手段が、前記指定手段によって指定された前記画像領域が複数回の前記読取動作によって読み取られる場合、前記指定手段によって指定された前記画像領域の一部が隣接する回を跨ぐ前記読取動作によって重複して読み取られるように前記移動手段を制御すると共に、隣接する回を跨ぐ前記読取動作によって読み取られて得られた一方の高解像度画像における他方の高解像度画像との重複部分を消去するように制御し、前記重複部分が消去された前記一方の高解像度画像及び前記他方の高解像度画像が前記出力先に出力されるように制御するものとした。
【手続補正３】
【補正対象書類名】明細書
【補正対象項目名】００１４
【補正方法】変更
【補正の内容】
【００１４】
上記課題を解決するために、請求項１０に記載の画像処理システムを、被読取対象領域を異なる解像度で読み取る読取手段と、前記異なる解像度のうちの相対的に低い解像度で前記被読取対象領域を読み取って得られた低解像度画像に含まれる画像領域を指定する指定手段と、前記指定手段によって指定された画像領域の画像を示す画像情報の出力先の出力解像度が画質を低下させる予め定められた解像度である場合、前記指定手段によって指定された画像領域が前記低解像度画像の解像度よりも高い解像度で読み取られるように前記読取手段を制御する制御手段と、を有する画像読取装置と、前記出力先に相当し、前記画像読取装置から出力された高解像度画像を記録媒体に形成する画像形成装置と、を含んで構成した。